(57)【要約】  流体を圧送するための液圧ピストンポンプの弁（１０）、特に、出口弁（１０）であって、内壁（４２）を有する弁開口（１４）が内部に形成された弁座（１２）と、弁開口（１４）を選択的に開閉するために弁座（１２）に配置される弁閉鎖体（１８）と、弁閉鎖体を弁座（１２）に対して相対的に案内する案内手段（２０）とを備える弁（１０）において、案内手段（２０）が弁開口（１４）内に延在し、案内手段（２０）が、流体を案内する少なくとも１つの切欠き（４０）と、弁閉鎖体（１８）を案内するために弁開口（１４）の内壁（４２）に当接する少なくとも１つの領域（４４）とを備える。【選択図】図２
2014505209.tif 000002
【特許請求の範囲】
【請求項１】
流体を圧送するための液圧ピストンポンプの弁（１０）、特に出口弁（１０）であって、内壁（４２）を有する弁開口（１４）が内部に形成された弁座（１２）と、前記弁開口（１４）を選択的に開閉するために前記弁座（１２）に配置される弁閉鎖体（１８）と、前記弁座（１２）に対して相対的に前記弁閉鎖体（１８）を案内する案内手段（２０）とを備える弁（１０）において、
前記案内手段（２０）は、前記弁開口（１４）内に延在し、
前記案内手段（２０）は、流体を案内する少なくとも１つの切欠き（４０）と、前記弁閉鎖体（１８）を案内するために前記弁開口（１４）の内壁（４２）に当接する少なくとも１つの領域（４４）と、を備える
弁（１０）。
【請求項２】
請求項１に記載の弁（１０）であって、
前記弁閉鎖体（１８）を案内するための前記領域（４４）は、前記弁開口（１４）の前記内壁（４２）に軸線方向に沿って当接する少なくとも１つのウェブ（４６）として形成されている弁（１０）。
【請求項３】
請求項２に記載の弁（１０）であって、
前記案内手段（２０）は、実質的に一様に相互に離間された少なくとも２つ、好ましくは３つの前記ウェブ（４６）を備える弁（１０）。
【請求項４】
請求項１ないし請求項３のいずれか一項に記載の弁（１０）であって、
前記案内手段（２０）は、横断面図で見て三角状に形成されている弁（１０）。
【請求項５】
請求項１ないし請求項４のいずれか一項に記載の弁（１０）であって、
該弁（１０）は、戻し手段（３０）を含み、
前記戻し手段（３０）は、前記弁閉鎖体（１８）を前記弁座（１２）の方へ押圧する戻し力を前記弁閉鎖体（１８）に加える
弁（１０）。
【請求項６】
請求項５に記載の弁（１０）であって、
前記戻し手段（３０）は、前記弁（１０）の流出側（２４）に配置されている弁（１０）。
【請求項７】
請求項１ないし請求項６のいずれか一項に記載の弁（１０）であって、
前記弁閉鎖体（１８）は、皿状に形成されている弁（１０）。
【請求項８】
請求項６または請求項７に記載の弁（１０）であって、
前記弁閉鎖体（１８）は、前記弁（１０）の前記流出側（２４）に支持装置（５０）を含み、
前記戻し手段（３０）は、前記支持装置（５０）によって前記弁閉鎖体（１８）に接触して支持されている弁（１０）。
【請求項９】
請求項１ないし請求項８のいずれか一項に記載の弁（１０）であって、
前記弁閉鎖体（１８）と前記案内手段（２０）とは、射出成形部品（１６）として一体的に形成されている弁（１０）。
【請求項１０】
請求項１ないし請求項９のいずれか一項に記載の弁（１０）であって、
前記弁閉鎖体（１８）は、前記案内手段（２０）に向いていない側に係止手段（５２）を含む弁（１０）。
【請求項１１】
請求項１ないし請求項１０のいずれか一項に記載の弁（１０）を備える液圧ピストンポンプ。
【請求項１２】
請求項１１に記載の液圧ピストンポンプを備える車両ブレーキシステム。
【発明の詳細な説明】
【技術分野】
【０００１】
本発明は、流体を圧送するための液圧ピストンポンプの弁、特に出口弁において、内壁を有する弁開口が内部に形成された弁座と、弁開口を選択的に開閉するために弁座に配置される弁閉鎖体と、弁座に対して相対的に弁閉鎖体を案内する案内手段とを備える弁に関する。さらに本発明は、液圧ピストンポンプおよび車両ブレーキシステムに関する。
【背景技術】
【０００２】
例えば車両ブレーキシステムなどの液圧ピストンポンプは、一般に入口弁および出口弁としてボール弁を備える。ボール弁は、比較的安価に製造することができるからである。
【０００３】
ボール弁の形態のこのような弁は、通常は弁ケーシング内に配置されており、弁ケーシングは、シリンダ内で前進および後退可能なピストンの保持部で締め付けられている。入口弁は、ピストンのストローク運動によって入口弁を介してシリンダ内部の圧力領域に流体を吸い込むことができるように設けられている。出口弁により、流体は、仕事を実施するために加圧下において圧力領域から液圧システム内へ圧送される。
【０００４】
弁ケーシングは、一般にコップ状にケージとして形成されており、ケージの内部には、コイル状の戻しばねが設けられており、戻しばねは球状の閉鎖体を押圧する。球状の閉鎖体は、これにより、ピストンの端面に形成された弁座に当接する。
【０００５】
戻しばねによってピストンがシリンダから押し出された場合、シリンダ内に低圧が生成されるので、入口弁の閉鎖体は、戻しばねの力に抗して弁座から持ち上げられる。ピストンがこのように移動した場合、入口弁が開かれ、入口弁を介して圧力領域に流体が吸い込まれる。
【０００６】
偏心器によってピストンがシリンダ内に押し込まれた場合、入口弁が閉じられ、出口弁が開かれ、この場合に、閉鎖体は、コイル状の戻しばねのばね力に抗して持ち上げられる。流体は、仕事を実施するために圧力領域から液圧システム内に圧送される。
【０００７】
ドイツ国特許出願公開第１０２００８０４３８４１号明細書は、弁ボールおよび弁座面を備えるボール弁、特に燃料噴射装置の高圧ポンプのための高圧弁を開示している。弁ボールは、流入部と流出部との間の接続を遮断するために、弁座面と協働してシール座をなす。この場合、弁ボールは、コイル状の戻しばねによって弁座面の方に押圧される。
【０００８】
さらに、ドイツ国特許出願公開第１０２００４０２８８８９号明細書は、液圧液を圧送するためのピストンポンプを開示しており、このピストンポンプは、シリンダ部材と、シリンダ部材内を往復運動可能なピストンと、ピストンスペースとを備え、ピストンスペースではピストンによって液圧液を加圧可能である。さらに、ピストンポンプは、出口弁とポート制御式入口弁とを含む。出口弁では、閉鎖体である弁ボールがディスク状の戻しばねによって付属の弁座の方に押圧される。
【先行技術文献】
【特許文献】
【０００９】
【特許文献１】ドイツ国特許出願公開第１０２００８０４３８４１号明細書
【特許文献２】ドイツ国特許出願公開第１０２００４０２８８８９号明細書
【発明の概要】
【課題を解決するための手段】
【００１０】
本発明によれば、流体を圧送するための液圧ピストンポンプの弁、特に出口弁であって、内壁を有する弁開口が内部に形成された弁座と、弁開口を選択的に開閉するために弁座に配置される弁閉鎖体と、弁座に対して相対的に弁閉鎖体を案内する案内手段とを備える弁が形成される。案内手段は弁開口内に延在する。案内手段は、流体を案内する少なくとも１つの切欠きと、弁閉鎖体を案内するために弁開口の内壁に当接する少なくとも１つの領域とを備える。
【００１１】
液圧ピストンポンプは、好ましくは、シリンダの内部スペース内で前進および後退可能に支承された円柱状のピストンを含む。シリンダの内部スペース内には、流体を充填された圧力領域が設けられており、シールされている。ピストンがシリンダから後退する場合、圧力領域内に低圧が生成され、ピストンは、入口弁を介して流体を圧力領域内に吸い込む。ピストンが前進した場合、仕事を実施するためにピストンは出口弁を介して圧力領域から液圧システム内へ流体を押し込む。
【００１２】
流体は、ここではガスおよび／または液体、例えば、鉱油またはグリコールベースの液圧液として理解されるべきである。
【００１３】
入口および／または出口弁は、有利には本発明による弁として形成される。本発明による弁は、弁開口を有する弁座と、弁閉鎖体と、弁座に対して相対的に弁閉鎖体を案内する案内手段とを備える。弁座は、前側と後側とを備え、弁座の後側は、流体が弁開口に流入する側であり、前側は、流体が弁開口から流出する側として理解されるべきである。弁閉鎖体は、弁座の前側に配置されており、弁開口内に突出する案内手段に、力を伝達するように結合されている。
【００１４】
ピストンがシリンダから後退する場合に、生成された低圧により流体は入口弁を通って圧力領域に吸い込まれる。この場合、弁閉鎖体は、所定の距離だけ弁座から持ち上げられ、流体は弁開口を通って圧力領域に流入する。出口弁は、ピストンがシリンダから後退する場合に実質的に流体密に閉じられている。
【００１５】
ピストンがシリンダ内に前進する場合に入口弁は閉じられる。圧力領域に生成された圧力によって、出口弁の弁閉鎖体は持ち上げられ、弁開口が開放される。さらに流体は、仕事を実施するために圧力領域から出口弁に沿って液圧システム内に流れる。
【００１６】
本発明によれば、弁は案内手段を備え、案内手段は、弁開口内に配置され、弁閉鎖体に結合されている。この案内手段は、弁閉鎖体を弁座に位置決めする。すなわち、弁閉鎖体は、弁の開閉時に弁閉鎖体を所定の距離だけ案内する。弁が閉鎖された場合に、案内手段は、弁閉鎖体を特に弁座の所定の位置へ案内し、この位置で弁閉鎖体と弁座とはシール面を介して実質的に流体密な閉鎖を行う。
【００１７】
このために、案内手段は、好ましくは、弁閉鎖体の、弁開口に向いた端面に配置された細長い構成の段部または区分として形成されている。この細長い段部は、弁開口の内部に収容されている。
【００１８】
案内手段は、弁閉鎖体を案内するために弁開口の内壁に当接する少なくとも１つの領域を備える。少なくとも１つの別の領域‐流体を案内する切欠き‐は、この場合、弁開口の内壁から離間されており、弁閉鎖体が持ち上げられた場合に弁開口の内壁と案内手段の外壁との間で流体が弁開口を貫流することができるように作用する。すなわち、案内手段は、少なくとも２つの領域、すなわち、弁開口の内壁に当接し、これにより、軸線方向および半径方向に弁閉鎖体の正確な案内をもたらす領域と、出口弁の場合に、圧縮スペースすなわち圧力領域と高圧側すなわち液圧システムとの間で流体を案内する接続部を提供する切欠き領域と、に区分される。
【００１９】
本発明の利点は、本発明による弁が、一方では良好な液体密の閉鎖、すなわち簡単で良好な閉鎖動作を保障し、わずかな圧力でも素早く正確に応答することである。他方では、案内手段または案内手段に結合される弁閉鎖体を安価に製造できる。本発明による弁の極めて簡単な構成に基づいて、生産コストを低減することができる。
【００２０】
さらに、本発明による弁は、必要となる構成スペースが比較的わずかである。なぜなら、通常は弁座の前側に配置されているコイル状の戻しばねおよび球状の弁閉鎖体は不要となるからである。特に出口弁の、省スペースで小型の構造または構成が得られ、開閉時に弁閉鎖体が信頼性良く正確に案内される。本発明による弁閉鎖体の案内によって、弁閉鎖体の不都合な変位が防止され、これにより、液圧ピストンポンプのいわゆる動作音の改善が達成される。
【００２１】
本発明による弁の有利な実施形態によれば、弁閉鎖体を案内するための領域は、弁開口の内壁に軸線方向に当接する少なくとも１つのウェブとして形成されている。
【００２２】
このような実施形態は、本発明による弁の特に小型で堅牢な構成を提供する。少なくとも１つのウェブまたはリブは、弁の長手方向に延在し、好ましくは、細長い段部の一部として形成されており、この段部は、弁開口の内部に収容されており、弁開口の内壁に比較的密に当接している。したがって、弁閉鎖体は、少なくとも１つのウェブによって、弁座または弁開口に対して軸線方向および半径方向に案内される。弁閉鎖体の位置は、開放状態で正確に定められている。
【００２３】
別の有利な実施形態によれば、案内手段は、実質的に一様に相互に離間された２〜５個、好ましくは３個のウェブを備える。
【００２４】
これらのウェブは、流体を案内する切欠きと交互に配置されている。ウェブは、案内手段に対して半径方向に突出しており、したがって、流体を案内する切欠き領域を軸線方向に制限している。軸線方向に延在する複数のウェブを用いることによって、弁閉鎖体の特に正確な案内が保障される。
【００２５】
さらに別の有利な実施形態によれば、案内手段は横断面図で見て三角状に形成されている。
【００２６】
この実施形態によれば、案内手段は、細長い段部として形成されており、軸線方向に延在する3つのウェブを備える。平面図または横断面図では、案内手段は、弁開口の内壁に適合させて丸みを付けられたエッジを備える三角状に形成されている。これにより、特に小型で簡単に生産できる案内手段が得られる。
【００２７】
弁の開放時に弁閉鎖体が弁座から持ち上げられた場合、弁開口の内壁に当接したウェブが弁閉鎖体を案内し、弁閉鎖体は、特に半径方向に実質的に滑らずに、弁の閉鎖時には再び元の位置をとる。すなわち、弁座と共に実質的に流体密なシール面を形成する。
【００２８】
本発明による弁の好ましい実施形態では、弁は戻し手段を含み、この戻し手段は、弁閉鎖体を弁座の方へ押圧する戻し力を弁閉鎖体に加える。
【００２９】
好ましくは、戻しばねの形態の戻し手段は、細長く形成されたばねワイヤ、または、輪ばねもしくは皿ばねなどの平坦に曲げられた曲げばね、板ばね、もしくは渦巻きばねとして形成されていてもよい。板ばねは、好ましくは、アーチ状に予荷重をかけられた平坦な金属ベルトまたは金属ワイヤからなる。渦巻きばねは、好ましくは、平坦に渦巻き状に巻かれた金属ベルトまたは金属ワイヤから作製される。渦巻きばねまたは輪ばねは、特に簡単に弁に組み付けることができる。戻しばねは、好ましくは、例えば、銅-ベリリウム合金などからなるばね鋼から作製される。
【００３０】
戻し手段の戻し力よりも大きい吸引力または圧力が弁閉鎖体に加えられた場合、戻し手段は弁座から弁閉鎖体が持ち上げられる際に、弁閉鎖体が進んだ距離に対応して変形される。すなわち、弁閉鎖体は戻し力を加えられ、これにより、弁閉鎖体は素早く、簡単に再び閉鎖する。
【００３１】
別の実施形態では、戻し手段は弁の流出側に配置されている。
【００３２】
本発明による弁の流出側は、弁の前側または弁座の前側として定義されていてもよい。
【００３３】
戻しばねは、所定の締付け力によって弁座の前側から弁閉鎖体を弁座の方へ押圧し、これにより、弁が閉じられた状態で弁開口は実質的に流体密に閉鎖される。戻し手段は、弁閉鎖体に押圧力を加える。上記種類のばねを使用した場合、わずかな構成スペースしか必要としない最適な弁が得られる。
【００３４】
本発明による弁が出口弁の形態で設けられている場合、戻しばねは、好ましくは弁カバーの段部で支持され、弁閉鎖体の、弁開口に向いていない端面で不動に保持される。
【００３５】
本発明による弁の別の好ましい実施形態によれば、弁閉鎖体は皿状（プレート状）に形成される。
【００３６】
このような弁は、球状の弁閉鎖体に比べて比較的わずかな高さまたは寸法を備えるプレート状の弁閉鎖体を提供する。このように弁閉鎖体の高さがわずかなので、無駄容積が極わずかな入口および／または出口弁を得ることができ、これにより、液圧ピストンポンプの作用度が高められる。
【００３７】
弁閉鎖体は、選択的に球欠体、すなわち、所定の球セグメントまたは所定の球区分、半球体または円錐体として形成されていてもよい。
【００３８】
さらに、弁閉鎖体は弁の流出側に支持部を含み、この支持部によって戻し手段は弁閉鎖体と接触して支持されている。
【００３９】
この支持部は、好ましくは、いわゆる支持型として形成されており、例えば、リング状の突起構造または段状のリング構造を備えていてもよく、これらの構造が戻し手段を保持するか、または戻し手段の滑りを防止する。
【００４０】
本発明による弁の別の有利な実施形態によれば、弁閉鎖体と案内手段とは射出成形部品として一体的に形成されている。
【００４１】
このような実施形態は、プラスチックから成形された射出成形部品として形成された、いわゆる「弁閉鎖体・案内手段ユニット」を提供する。このような射出成形されたプラスチックユニットは、その形態により、特に良好に弁座に、および液圧ピストンポンプ内にあらかじめ組み付けることができ、したがって、製造プロセスで簡単に他の構成部品と組み合わせることができる。さらに、このような弁は、堅牢かつ安価に製造可能である。しかしながら、案内手段、および特に弁閉鎖体‐案内手段‐ユニットは、金属から作製されていてもよい。
【００４２】
さらに、弁閉鎖体は、案内手段に向いていない側に、好ましくは係止手段を含む。
【００４３】
この係止手段は、弁閉鎖体が、別の構成部品、例えば、ばねに係止することを可能にする。これにより、特に、いわば「あらかじめ組み付けること」が技術的に可能となる。したがって、まず、あらかじめ組み付けられたアセンブリとして弁を完成させ、次いでポンプシリンダと共に固定することができる。
【００４４】
さらに、本発明による課題は、本発明による弁を備える液圧ピストンポンプによって解決される。
【００４５】
本発明による液圧ピストンポンプは、シリンダと、シリンダ内で前進および後退可能に支承されたピストンとを含む。シリンダの内部には、流体を充填された圧力領域が形成される。ピストンがシリンダから後退した場合、圧力領域には低圧が生成され、ピストンは、入口弁を介して流体を圧力領域内に吸い込む。これに対して、進入する場合には、ピストンは、出口弁を介して圧力領域から液圧システム内へ、仕事を行うために流体を押し込む。
【００４６】
入口弁および／または出口弁は、有利には、上記特徴および利点を備える本発明による弁として形成される。このような弁は、一方では、高い堅牢性および良好なシール作用を保障する。他方では、このような弁は、安価に製造可能であり、液圧ピストンポンプ内に簡単に組み込むことができる。
【００４７】
特に、本発明による案内手段は、わずかな構成スペースしか必要としない。すなわち、従来技術では弁座の前側に配置される比較的大きいコイル状の戻しばねを省略することができる。小型で省スペースの構成の弁がもたらされ、このような弁は弁閉鎖体の良好な案内をもたらす。このような弁閉鎖体の案内により、この弁閉鎖体の不都合な変位が防止され、ひいては動作音の改善が達成される。
【００４８】
最後に、本発明による液圧ピストンポンプを備える車両システムが提供される。
【００４９】
本発明による車両ブレーキシステムは、上記特徴および利点を有する本発明による弁を備える液圧ピストンポンプを含む。
【００５０】
このような車両ブレーキシステムは、例えば、アンチロック・ブレーキシステム（ＡＢＳ）、トラクションコントロールシステム（ＴＣＳ）、エレクトロニック・スタビリティプログラム（ＥＳＰ）または電気液圧式ブレーキシステム（ＥＨＢ）であってもよい。これらのシステムでは、液圧ピストンポンプが、堅牢で、かつ安価に作製することのできる弁を備え、このような弁が長時間走行時にブレーキシステムの最適な機能を提供できる場合には、特に有利である。特に、動作音の改善は有利であることが判明した。
【００５１】
次に、本発明による解決手段の実施例を添付の図面に基づき詳細に説明する。
【図面の簡単な説明】
【００５２】
【図１】本発明による弁の実施例を示す縦断面図である。
【図２】図１による弁閉鎖体・案内手段ユニットの第１実施例を矢印ＩＩの方向に見た図である。
【図３】弁座に配置された図２による弁閉鎖体・案内手段ユニットを矢印ＩＩＩの方向に見た図である。
【図４】弁閉鎖体・案内手段ユニットの第２実施例を示す図である。
【図５】図４による弁閉鎖体・案内手段ユニットの第２実施例を別の方向から見た図である。
【図６】弁閉鎖体・案内手段ユニットの第３実施例を示す図である。
【図７】弁閉鎖体・案内手段ユニットの第４実施例を示す図である。
【図８】弁座に配置された図７による弁閉鎖体・案内手段ユニットを示す縦断面図である。
【発明を実施するための形態】
【００５３】
図１は、車両ブレーキシステムの液圧ピストンポンプの出口弁１０を示す。この弁１０は弁座１２を含み、弁座１２内には円形の弁開口１４が形成されている。さらに、弁１０は、プレート状の弁閉鎖体１８と、案内手段２０とにより、プラスチック射出成形部品として一体的に成形された弁閉鎖体・案内手段ユニット１６（図２も参照のこと）を含む。
【００５４】
弁座１２は、前側２４と後側２６とを備え、前側２４は、流体、本実施例ではブレーキ液が弁開口１４に流入する側として定義されており、後側２６は、流体が弁開口１４から流出する側として定義されている。
【００５５】
液圧ピストンポンプは、シリンダ内で前進および後退可能なピストンを含み、このピストンは偏心器によって駆動される。ピストンがシリンダから後退する場合、シリンダの内部の圧力領域２７、すなわち、圧縮スペース２７に低圧が生成される。これにより、入口弁が開かれ、流体は圧力領域２７に流入する。ピストンがシリンダ内に前進する場合、圧力領域２７内の流体が加圧され、出口弁１０の弁閉鎖体-案内手段-ユニット１６の方へ押し流される。
【００５６】
弁閉鎖体１８は、弁座１２の前側２４、すなわち、弁１０の流出側２４で弁開口１４を選択的に開閉するために配置されている。弁１０が閉鎖された状態で弁閉鎖体１８が弁座１２に接触する領域は、実質的に流体密な閉鎖を保障するシール面２９をなす。
【００５７】
弁閉鎖体１８は、戻し手段３０、本実施例では渦巻きばね３０によって戻し力を加えられ、この戻し力は、弁閉鎖体１８を弁座１２の前側２４の方に押圧する。ばね３０は、弁１０の流出側２４に配置されており、弁閉鎖体１８に押圧力を加える。ばね３０は、この場合、弁閉鎖体１８の、弁開口１４に向いていない端面３２と接触して支持され、弁カバー３６の段部３４で保持される。
【００５８】
弁閉鎖体１８に加えられた圧力がばね３０の戻し力よりも大きい場合には、弁閉鎖体１８は弁座１２から持ち上げられ、流体は、液圧システム内へ、いわゆる高圧側３７へ、仕事を実施するために案内される。すなわち、出口弁１０は圧縮スペース２７を高圧側３７から分離する。
【００５９】
弁１０を開閉する場合に、案内手段２０は、弁閉鎖体１８を弁座１２に対して相対的に案内する。
【００６０】
このために案内手段２０は、柱状の段部２０として形成されており、段部２０は、弁閉鎖体１８の、弁開口１４に向いた端面３８に取り付けられており、弁開口１４内に延在している。案内手段２０は、弁開口１４内に収容されており、この場合に案内手段２０は、流体を案内する３つの切欠き４０によって弁開口１４の内壁４２から離間されている。これに対して、流体を案内する切欠き４０と交互に配置された３つの領域４４は、弁開口１４の内壁４２に当接している（図２および図３を参照のこと）。これらの領域４４は、開閉時に弁閉鎖体１８を軸線方向および半径方向に案内し、弁座１２に正確に位置決めするために設けられている。弁閉鎖体１８は、所定の距離を案内される。弁閉鎖体１８がこのように案内されることにより、弁閉鎖体１８の不都合な変位が防止され、これにより、液圧ピストンポンプのいわゆる「動作音」の改善が得られる。
【００６１】
弁閉鎖体１８が弁座１２から持ち上げられた場合、流体を案内する切欠き４０に沿って流体が弁１０を貫流する。
【００６２】
図２および図３には、弁閉鎖体・案内手段ユニット１６が拡大して示されている。案内手段２０は、横断面図で見て三角状に形成されている。弁開口１４の内壁４２に当接し、弁閉鎖体を案内するための領域４４は、本実施例では実質的に相互に一様に離間された３つのウェブ４６として形成されており、これらのウェブ４６は軸線方向に延在している。弁の開閉時に、これらのウェブ４６は、弁開口１４の内壁４２に沿って長手方向に滑動する。この場合、三角状の案内手段ユニット２０のウェブ４６の外縁部４８は、弁開口１４の内壁４２に適合されており、すなわち、内壁４２に向けてアーチ形になっている。
【００６３】
図４、図５および図６は、弁閉鎖体・案内手段ユニット１６の他の実施例を示す。これらの図面に示したユニット１６は、弁１０の流出側２４に支持部５０を含み、この支持部５０により戻し手段３０は弁閉鎖体１８で支持される。図４および図５に示した弁閉鎖体・案内手段ユニット１６は、段状または段付きリング構造を備える。これに対して、図６には、リング状の突起構造として全部で８個の突起を円形に規則的な間隔をおいて端面３２に分散して配置した支持部５０が示されている。この支持部５０は、例えば円筒状のコイルばねなどの戻し手段３０が弁閉鎖体１８の端面３２で滑ることを防止する。
【００６４】
図４〜図６に示す弁閉鎖体・案内手段ユニット１６の案内手段２０は、それぞれ４つのウェブ４６を備え、これらのウェブ４６は、流体を案内する４つの切欠き４０と交互に配置されている。
【００６５】
図７および図８に示す弁閉鎖体・案内手段ユニット１６は、案内手段２０に向いていない側に係止手段５２を配置した弁閉鎖体１８を含む。この係止手段５２は円柱状段部５４を備え、この段部５４は所定の区分５５に向けてテーパしている。円柱状段部５４の、弁閉鎖体１８に向かい合った端部には係止機構５６が一体成形されており、この係止機構５６は、ばねまたは別の構成部品に係止するために設けられている。これにより、特に弁１０をあらかじめ組み付けることが可能となる。この場合、弁１０は、別個に提供されたアセンブリとしてあらかじめ組み付けられ、次いでポンプシリンダと共に固定される。
【００６６】
このようにして、簡単で素早い、正確な閉鎖動作で良好なシール作用を保障し、液圧ピストンポンプに簡単に組み込むことのできる安価で堅牢な弁１０が形成される。さらに、弁閉鎖体・案内手段ユニット１６は小型の構成を備え、これにより、出口弁１０の省スペース構造が保障されている。
【００６７】
本発明による弁１０は、本実施例ではプレート状弁１０として示されている。このような弁１０は、ピストンポンプ内の無駄容積を少なくなることを保障する。しかしながら、例えば、球欠状、半球状または円錐状弁など他の弁幾何学形状も可能である。さらに、閉鎖体・案内手段ユニット１６は金属により形成されていてもよい。
【００６８】
最後に、出願書類、および特に従属請求項に記載の全ての特徴には、一つまたは複数の特定の請求項に定式的に引用していても、個々に、または任意の組み合わせで独立した保護を付与されるべきであることに留意されたい。
【符号の説明】
【００６９】
１０…出口弁
１２…弁座
１４…弁開口
１６…案内手段ユニット
１８…弁閉鎖体
２０…案内手段（段部、案内手段ユニット）
２４…前側（流出側）
２６…後側
２７…圧縮スペース（圧力領域）
２９…シール面
３０…戻し手段
３２…端面
３４…段部
３６…弁カバー
３７…高圧側
３８…端面
４２…内壁
４４…領域
４６…ウェブ
４８…外縁部
５０…支持部
５２…係止手段
５４…円柱状段部
５５…区分
５６…係止機構
【図１】
2014505209.tif 000003
【図２】
2014505209.tif 000004
【図３】
2014505209.tif 000005
【図４】
2014505209.tif 000006
【図５】
2014505209.tif 000007
【図６】
2014505209.tif 000008
【図７】
2014505209.tif 000009
【図８】
2014505209.tif 000010
【国際調査報告】
2014505209.tif 000011
2014505209.tif 000012
2014505209.tif 000013
2014505209.tif 000014
2014505209.tif 000015
2014505209.tif 000016